(57)【特許請求の範囲】
【請求項１】
同一トランスポートストリームによって１つのＨＤＴＶ番組が提供される時間帯と、５つ以上のＳＤＴＶ番組が提供される時間帯とがあるデジタル放送におけるデジタル放送受信機において、
ＨＤＴＶ番組を視聴中にその番組が終了しＳＤＴＶ番組時間帯に遷移したことを検出する手段、および
ＨＤＴＶ番組を視聴中にその番組が終了しＳＤＴＶ番組時間帯に遷移したことが検出されたときに、表示画面を４分割し、現在受信しているトランスポートストリームに含まれているＳＤＴＶ番組のうち、現在選択されているサービスチャンネルに対応するＳＤＴＶ番組を含む３つのＳＤＴＶ番組を３つの分割画面に割り当てて表示させるとともに、残りの１つの分割画面に残りのＳＤＴＶ番組を所定時間間隔毎に、順番にかつ繰り返して表示させる手段、
を備えていることを特徴とするデジタル放送受信機。
【発明の詳細な説明】
【０００１】
【発明の属する技術分野】
この発明は、デジタル放送受信機に関する。
【０００２】
【従来の技術】
放送衛星を使用した衛星デジタルテレビジョン放送サービス（たとえば、ＢＳデジタル放送サービス）においては、高精細度テレビジョン（ＨＤＴＶ）放送事業者に対して、ＨＤＴＶ放送を１チャンネル放送することが可能である伝送容量として、１つのトランスポートストリーム（ＴＳ）が割り当てられている。
【０００３】
ＨＤＴＶ信号の伝送所要ビットレートは、約２０Ｍｂｐｓであるが、これに対して標準精細度テレビジョン（ＳＤＴＶ）信号は約６Ｍｂｐｓ程度の伝送所要ビットレートである。したがって１つのトランスポートストリーム（ＴＳ）を使用することによって、３つのＳＤＴＶ信号を多重化して伝送することが可能である。
【０００４】
そこで、ＨＤＴＶ放送事業者は、各々が独立して番組の時間編成を決定し、送信機側でＨＤＴＶ信号とＳＤＴＶ信号とを選択して伝送することになるため、時間帯によって放送される信号フォーマットが異なった形の番組編成となり、ＨＤＴＶ番組およびＳＤＴＶ番組が混在したいわゆるまだら放送が行われることになる。
【０００５】
ユーザが選択できるチャンネルとして、放送事業者毎に割り当てられる放送事業者識別チャンネルと、階層的に放送事業者識別チャンネルの下位レベルに位置づけられ、ＳＤＴＶ信号による多重放送時のＳＤＴＶ番組識別用に割り当てられるサービスチャンネル（ＳＤＴＶ番組選択チャンネル）とが設けられている。
【０００６】
ユーザがある放送事業者チャンネルを選択し、さらに特定のサービスチャンネルを指定しているとき、デジタル放送受信機はその指定されているサービスチャンネルの番組を復号処理して映像出力する。時間が経過することにより番組遷移に依存して信号フォーマットが変化したとしても、受信機としては指定されているサービスチャンネルの番組を継続的に復号処理して映像出力する。
【０００７】
【発明が解決しようとする課題】
従来のデジタル放送受信機では、ユーザが特定のサービスチャンネル、例えば図６における放送事業者チャンネル１のサービスチャンネルＳＤ１を選択した状態で、ＳＤＴＶ番組を視聴している場合に、ＨＤＴＶへの放送信号フォーマットが切り替わった場合には、同じ放送事業者チャンネルのいずれのサービスチャンネルが選局されていても、上記ＨＤＴＶを共通に受信することができるため、ユーザの立場で放送信号フォーマットの遷移を特別に意識する必要はない。
【０００８】
しかしながら、ＨＤＴＶ番組を視聴中にその番組が終了しＳＤＴＶ番組時間帯に遷移した場合には、上記ＨＤＴＶ番組の前に放送されていたＳＤＴＶ番組視聴時に選局していたサービスチャンネルを継続することになり、ユーザは希望する放送事業者チャンネルを的確に選択しているものの、以前選択したサービスチャンネルがそのまま継続されており、同じ放送事業者チャンネルで他の番組が存在することがわかりにくいため、本来視聴すべきＳＤＴＶ番組の見逃しや、チャンネル選択の混乱を招くことになる。
【０００９】
この発明は、ＨＤＴＶ番組を視聴中にその番組が終了しＳＤＴＶ番組時間帯に遷移した場合に、現在選択しているＳＤＴＶ番組選択チャンネルに対応するトランスポートストリームによって提供されている全てのＳＤＴＶ番組に関する情報をユーザに知らせることができるようになるデジタル放送受信機を得ることを目的とする。
【００１０】
【課題を解決するための手段】
この発明によるデジタル放送受信機は、同一トランスポートストリームによって１つのＨＤＴＶ番組が提供される時間帯と、５つ以上のＳＤＴＶ番組が提供される時間帯とがあるデジタル放送におけるデジタル放送受信機において、ＨＤＴＶ番組を視聴中にその番組が終了しＳＤＴＶ番組時間帯に遷移したことを検出する手段、およびＨＤＴＶ番組を視聴中にその番組が終了しＳＤＴＶ番組時間帯に遷移したことが検出されたときに、表示画面を４分割し、現在受信しているトランスポートストリームに含まれているＳＤＴＶ番組のうち、現在選択されているサービスチャンネルに対応するＳＤＴＶ番組を含む３つのＳＤＴＶ番組を３つの分割画面に割り当てて表示させるとともに、残りの１つの分割画面に残りのＳＤＴＶ番組を所定時間間隔毎に、順番にかつ繰り返して表示させる手段を備えていることを特徴とする。
【００１５】
【発明の実施の形態】
以下、この発明の実施の形態について説明する。
【００１６】
図１は、デジタル放送受信機の概略構成を示している。
【００１７】
アンテナ１０１によって受信されたデジタルテレビジョン放送信号は、デジタルチューナ（ｄｉｇｉｔａｌ  Ｔｕｎｅｒ）１０２により復調され、トランスポートストリーム（ＴＳ）が生成される。デジタルチューナ（ｄｉｇｉｔａｌ  Ｔｕｎｅｒ）１０２によって得られたトランスポートストリームは、ＴＳ分離復号部（ＴＳ  ＤｅＭｕｘ）１０３によって信号内容別に分離復号される。
【００１８】
ＴＳ分離復号部１０３によって分離された音声信号は、音声復号部（Ａｕｄｉｏ  Ｄｅｃｏｄｅｒ）１０４によって復号されてスピーカー１０５より出力される。ＴＳ分離復号部１０３によって分離された映像信号は、映像復号部（Ｖｉｄｅｏ  Ｄｅｃｏｄｅｒ）１０６によって復号された後、信号フォーマット変換部（Ｆｏｒｍａｔ  Ｃｏｎｖｅｒｔｅｒ）１０７および画像処理部（Ｄｉｓｐｌａｙ  Ｐｒｏｃｅｓｓｏｒ）  １０８を介してＣＲＴ１０９へ送られ、番組映像として出力される。映像復号部１０６は、フィールドメモリ（Ｆｉｅｌｄ  Ｍｅｍｏｒｙ）１１０を備えている。
【００１９】
ステータス検出部（Ｓｔａｔｕｓ  Ｄｅｔｅｃｔｏｒ）  １１１およびレジスタ（Ｒｅｇｉｓｔｅｒ）１１２は、放送番組情報の処理を行う。キー操作部１１７からの入力信号は、ユーザインターフェイス処理部（Ｕｓｅｒ  Ｉ／Ｆ）１１６を介してＣＰＵ１１５に送られて処理される。ＣＰＵ１１５には、タイマー（Ｔｉｍｅｒ）  １１４およびメモリ（Ｍｅｍｏｒｙ）１１３が接続されている。ＣＰＵ１１５は、デジタル放送受信機全体の制御を司る。
【００２０】
デジタルテレビジョン放送が、図６に示した番組遷移表のように放送事業者単位でＨＤＴＶ番組とＳＤＴＶ番組とが混在した形でサービスされているものとする。
【００２１】
以下、ＨＤＴＶ番組を視聴中にその番組が終了しＳＤＴＶ番組時間帯に遷移した場合の動作について説明する。ＨＤＴＶ番組を視聴中にその番組が終了しＳＤＴＶ番組時間帯に遷移したことは、ステータス検出部（Ｓｔａｔｕｓ  Ｄｅｔｅｃｔｏｒ）  １１１およびレジスタ（Ｒｅｇｉｓｔｅｒ）１１２によって検出される。
【００２２】
〔１〕第１の実施の形態
【００２３】
ＨＤＴＶ番組を視聴中にその番組が終了しＳＤＴＶ番組時間帯に遷移した場合には、ＣＰＵ１１５は、図２に示すように、画面を４分割して、現在選択されている放送事業者チャンネルで放送される３つのＳＤＴＶ番組と、現在選択されているサービスチャンネル（ＳＤＴＶ番組選択チャンネル）で放送されるＳＤＴＶ番組に関する番組情報とを、マルチ画面表示させる。
【００２４】
図２の例では、４つの分割画面のうち、左上の分割画面に、現在選択されているサービスチャンネルで放送されているＳＤＴＶ番組（ＳＤＴＶ１）が表示され、左下の分割画面および右上の分割画面に、現在選択されている放送事業者チャンネルで放送されている他の２つのＳＤＴＶ番組（ＳＤＴＶ２、ＳＤＴＶ３）が表示され、右下の分割画面に現在選択されているサービスチャンネルで放送されているＳＤＴＶ番組（ＳＤＴＶ１）に関する番組情報が表示されている。
【００２５】
各ＳＤＴＶ番組（ＳＤＴＶ１、ＳＤＴＶ２、ＳＤＴＶ３）が表示されている領域のうち、ユーザが選択したい番組に対応する領域にカーソルを移動させた後、決定キーを押すと、当該番組が選択されて１画面表示される。
【００２６】
〔２〕第２の実施の形態
【００２７】
ＨＤＴＶ番組を視聴中にその番組が終了しＳＤＴＶ番組時間帯に遷移した場合には、ＣＰＵ１１５は、図３に示すように、画面を４分割して、現在選択されている放送事業者チャンネルで放送される３つのＳＤＴＶ番組と、ＥＰＧ（番組案内画面）とを、マルチ画面表示させる。
【００２８】
図３の例では、４つの分割画面のうち、左上の分割画面に、現在選択されているサービスチャンネルで放送されているＳＤＴＶ番組（ＳＤＴＶ１）が表示され、左下の分割画面および右上の分割画面に、現在選択されている放送事業者チャンネルで放送されている他の２つのＳＤＴＶ番組（ＳＤＴＶ２、ＳＤＴＶ３）が表示され、右下の分割画面にＥＰＧが表示されている。
【００２９】
各ＳＤＴＶ番組（ＳＤＴＶ１、ＳＤＴＶ２、ＳＤＴＶ３）が表示されている領域のうち、ユーザが選択したい番組に対応する領域にカーソルを移動させた後、決定キーを押すと、当該番組が選択されて１画面表示される。
【００３０】
〔３〕第３の実施の形態
【００３１】
ＨＤＴＶ番組を視聴中にその番組が終了しＳＤＴＶ番組時間帯に遷移した場合には、ＣＰＵ１１５は、図４に示すように、画面を４分割して、マルチ画面表示を行なう。
【００３２】
つまり、４つの分割画面のうち、左上の分割画面に、現在選択されているサービスチャンネルで放送されているＳＤＴＶ番組（ＳＤＴＶ１）を表示し、左下の分割画面および右上の分割画面に、現在選択されている放送事業者チャンネルで放送されている他の２つのＳＤＴＶ番組（ＳＤＴＶ２、ＳＤＴＶ３）を表示させる。
【００３３】
そして、右下の分割画面に、上記各ＳＤＴＶ番組（ＳＤＴＶ１、ＳＤＴＶ２、ＳＤＴＶ３）の副映像を、所定時間間隔で、所定の順番でかつ繰り返して表示する。
【００３４】
各ＳＤＴＶ番組（ＳＤＴＶ１、ＳＤＴＶ２、ＳＤＴＶ３）が表示されている領域のうち、ユーザが選択したい番組に対応する領域にカーソルを移動させた後、決定キーを押すと、当該番組が選択されて１画面表示される。
【００３５】
なお、右下の分割画面に、各ＳＤＴＶ番組（ＳＤＴＶ１、ＳＤＴＶ２、ＳＤＴＶ３）のうち、カーソルによって選択されたれたＳＤＴＶ番組（ＳＤＴＶ１、ＳＤＴＶ２、ＳＤＴＶ３）の副映像を表示させるようにしてもよい。
【００３６】
〔４〕第４の実施の形態
【００３７】
１つのトランスポートストリーム（ＴＳ）内に、４つ以上のＳＤＴＶ番組のデータが含まれているとする。ここでは、１つのトランスポートストリーム（ＴＳ）内に、７つＳＤＴＶ（ＳＤＴＶ１〜ＳＤＴＶ７）のデータが含まれているとする。
【００３８】
ＨＤＴＶ番組を視聴中にその番組が終了しＳＤＴＶ番組時間帯に遷移した場合には、ＣＰＵ１１５は、図５に示すように、画面を４分割して、マルチ画面表示を行なう。
【００３９】
つまり、４つの分割画面のうち、左上の分割画面に、現在選択されているサービスチャンネルで放送されているＳＤＴＶ番組（ＳＤＴＶ１）を表示する。左下の分割画面および右上の分割画面に、現在選択されている放送事業者チャンネルで放送されている残りの６つのＳＤＴＶ番組（ＳＤＴＶ２〜ＳＤＴＶ７）のうちの、２つのＳＤＴＶ番組（ＳＤＴＶ２、ＳＤＴＶ３）を表示させる。
【００４０】
そして、右下の分割画面に、残りのＳＤＴＶ番組（ＳＤＴＶ４〜ＳＤＴＶ７）を、所定時間間隔で、所定の順番でかつ繰り返して表示する。
【００４１】
各ＳＤＴＶ番組（ＳＤＴＶ１、ＳＤＴＶ２、ＳＤＴＶ３）が表示されている領域のうち、ユーザが選択したい番組に対応する領域にカーソルを移動させた後、決定キーを押すと、当該番組が選択されて１画面表示される。
【００４２】
また、ＳＤＴＶ４〜ＳＤＴＶ７が表示されている領域にユーザがカーソルを移動させた後、決定キーを押すと、その時点でその領域に表示されているＳＤＴＶ番組が選択されて１画面表示される。
【００４３】
【発明の効果】
この発明によれば、ＨＤＴＶ番組を視聴中にその番組が終了しＳＤＴＶ番組時間帯に遷移した場合に、現在選択しているＳＤＴＶ番組選択チャンネルに対応するトランスポートストリームによって提供されている全てのＳＤＴＶ番組に関する情報をユーザに知らせることができるようになる。
【図面の簡単な説明】
【図１】デジタル放送受信機の概略構成を示すブロック図である。
【図２】ＨＤＴＶ番組を視聴中にその番組が終了しＳＤＴＶ番組時間帯に遷移した場合の表示例を示す模式図である。
【図３】ＨＤＴＶ番組を視聴中にその番組が終了しＳＤＴＶ番組時間帯に遷移した場合の表示例を示す模式図である。
【図４】ＨＤＴＶ番組を視聴中にその番組が終了しＳＤＴＶ番組時間帯に遷移した場合の表示例を示す模式図である。
【図５】ＨＤＴＶ番組を視聴中にその番組が終了しＳＤＴＶ番組時間帯に遷移した場合の表示例を示す模式図である。
【図６】番組遷移表の一例を示す模式図である。
【符号の説明】
１０１  アンテナ
１０２  デジタルチューナ
１０３  ＴＳ分離復号部
１０４  音声復号部
１０６  映像復号部
１０７  信号フォーマット変換部
１０８  画像処理部
１１１  ステータス検出部
１１２  レジスタ
１１３  メモリ
１１４  タイマ
１１５  ＣＰＵ
１１７  キー操作部
【図１】
0003625728.tif 000002
【図２】
0003625728.tif 000003
【図３】
0003625728.tif 000004
【図４】
0003625728.tif 000005
【図５】
0003625728.tif 000006
【図６】
0003625728.tif 000007